(57)【特許請求の範囲】
【請求項１】
信号受信装置であって、
ネットワーク装置が第１送信構成指示（ＴＣＩ）状態を用いるという仮定に基づいて第１時間領域リソースセクションにおいて第１制御情報を含む第１信号を受信する第１受信部と、
前記ネットワーク装置が第２送信構成指示状態を用いるという仮定に基づいて第２時間領域リソースセクションにおいて第２信号を受信する第２受信部と、を含み、
前記第２時間領域リソースセクションの開始位置は、参照時間領域リソースセクションに基づいて決定され、前記参照時間領域リソースセクションは、前記第１制御情報に関連し、前記参照時間領域リソースセクションは、前記第１制御情報の所在する制御リソースセットにおける時間軸上の最後の位置にある時間領域リソースセクションであり、前記参照時間領域リソースセクションは、予め定義され、或いは予め構成される、装置。
【請求項２】
前記ネットワーク装置が第３送信構成指示状態を用いるという仮定に基づいて第３時間領域リソースセクションにおいて第３信号を受信する第３受信部、をさらに含み、
前記第３時間領域リソースセクションの開始位置は、前記参照時間領域リソースセクション及び閾値に基づいて決定され、或いは、前記第３時間領域リソースセクションの開始位置は、前記参照時間領域リソースセクションに基づいて決定され、前記閾値は、予め定義され、或いは予め構成される、請求項１に記載の装置。
【請求項３】
構成された制御リソースセット（ＣＯＲＥＳＥＴ）において前記第１制御情報を検出する検出部、をさらに含み、
前記構成された制御リソースセットは、少なくとも１つの制御リソースセットを含む、請求項１に記載の装置。
【請求項４】
前記参照時間領域リソースセクションは、前記第１制御情報の所在するスケジューリング単位における１番目、２番目又は３番目の時間領域シンボルであり、前記スケジューリング単位は、１つのスロット又は少なくとも１つのシンボルを含む、請求項１に記載の装置。
【請求項５】
前記第２信号は、第１データチャネルであり、前記第１制御情報は、端末装置が前記第１データチャネルを受信するように指示するために用いられ、
前記第３信号は、第２データチャネルであり、前記第１制御情報は、前記端末装置が前記第２データチャネルを受信するように指示するために用いられ、
前記第１データチャネルと前記第２データチャネルとは同一であり、或いは異なる、請求項２に記載の装置。
【請求項６】
前記第２信号は、第２制御情報を含み、前記第１制御情報は、前記第２制御情報の伝送パラメータを指示するために用いられ、前記伝送パラメータは、チャネル符号化、符号化レート、変調方式、時間周波数リソース位置及び送信構成指示状態のうちの少なくとも１つのパラメータを含む、請求項１に記載の装置。
【請求項７】
前記第２時間領域リソースセクションは、前記参照時間領域リソースセクションから始まり、或いは、
前記第２時間領域リソースセクションは、前記参照時間領域リソースセクションの直後の時間領域リソース単位から始まり、或いは、
前記第２時間領域リソースセクションは、前記参照時間領域リソースセクションの後のＮ番目の時間領域リソース単位から始まり、Ｎは前記第１制御情報により指示され、Ｎは自然数である、請求項１に記載の装置。
【請求項８】
前記第３時間領域リソースセクションは、前記参照時間領域リソースセクションの後のＭ番目の時間領域リソース単位から始まり、Ｍは前記閾値に等しく、Ｍは自然数であり、或いは、
前記第３時間領域リソースセクションは、前記参照時間領域リソースセクションの後のＳ番目の時間領域リソース単位から始まり、Ｓは前記第１制御情報により指示され、Ｓは自然数である、請求項２に記載の装置。
【請求項９】
前記第１送信構成指示状態と前記第２送信構成指示状態とは同一であり、或いは異なる、請求項１に記載の装置。
【請求項１０】
前記第２送信構成指示状態と前記第３送信構成指示状態とは同一であり、或いは異なる、請求項２に記載の装置。
【請求項１１】
前記第１送信構成指示状態は、少なくとも１つの送信構成指示状態を含み、前記第２送信構成指示状態は、少なくとも１つの送信構成指示状態を含み、前記第３送信構成指示状態は、少なくとも１つの送信構成指示状態を含む、請求項２に記載の装置。
【請求項１２】
前記第１時間領域リソースセクションは、少なくとも１つの時間領域リソース単位を含み、前記第２時間領域リソースセクションは、少なくとも１つの時間領域リソース単位を含み、前記第３時間領域リソースセクションは、少なくとも１つの時間領域リソース単位を含み、前記時間領域リソース単位は、時間領域シンボル、スロット又はサブフレームである、請求項２に記載の装置。
【請求項１３】
端末装置を含む通信システムであって、
前記端末装置は、請求項１乃至１２の何れかに記載の装置を含む、通信システム。
【発明の詳細な説明】
【技術分野】
【０００１】
本発明は、通信分野に関し、特に信号受信装置、方法及び通信システムに関する。
【背景技術】
【０００２】
大規模な多入力多出力（Ｍｕｌｔｉｐｌｅ−Ｉｎｐｕｔ  Ｍｕｌｔｉｐｌｅ−Ｏｕｔｐｕｔ：ＭＩＭＯ）技術は、新しい無線（ｎｅｗ  ｒａｄｉｏ：ＮＲ）システムの重要な技術であり、６ＧＨｚ以下及び６ＧＨｚ以上の周波数帯域の研究を含む。伝送の周波数帯域の増加に伴い、伝送に発生するフェージング及び損失も増加している。ビームフォーミング（ｂｅａｍｆｏｒｍｉｎｇ）技術は、フェージングを効果的に補償できるため、大規模なＭＩＭＯにおける重要な技術となっている。
【０００３】
ＮＲの研究では、伝送の信頼性を向上させるために、物理チャネル（例えばブロードキャストチャネル、データチャネル、制御チャネルなど）のために複数のビームを同時に送信できるビームフォーミング技術が許可されている。ネットワーク装置及び端末装置（ＴＥ：ｔｅｒｍｉｎａｌ  ｅｑｕｉｐｍｅｎｔ）が何れも複数のビームを送受信できるため、ビーム管理により、例えば送信機及び受信機はビームスイーピング（ｂｅａｍ  ｓｗｅｅｐｉｎｇ）をそれぞれ行うことで送信ビームと受信ビームの最適な組み合わせを得ることができる。
【０００４】
例えば、現在の３ＧＰＰ（第３世代パートナーシッププロジェクト：３ｒｄ  Ｇｅｎｅｒａｔｉｏｎ  Ｐａｒｔｎｅｒｓｈｉｐ  Ｐｒｏｊｅｃｔ）のＮＲシステムにおけるダウンリンクビーム管理には、３つのプロセスが含まれる。
【０００５】
プロセス１（Ｐ１）：ネットワーク装置が複数の異なるビームを送信し、端末装置がそれらを測定し、品質の高い送信ビームを選択する。
【０００６】
プロセス２（Ｐ２）：ネットワーク装置が複数の異なるビームを送信する。プロセス１に比べて、プロセス２の時間領域リソースのビームは、より細かく（狭く）、プロセス１の時間領域リソースのビームのより小さい集合であってもよい。端末装置側は、それらを測定し、品質の高い送信ビームを選択する。
【０００７】
プロセス３（Ｐ３）：ネットワーク装置が複数の同一のビームを送信し、端末装置が異なる受信ビームを用いてそれらを受信し、品質の高い受信ビームを選択する。
【０００８】
なお、背景技術に関する上記の説明は、単なる本発明の構成をより明確、完全に説明するためのものであり、当業者を理解させるために説明するものである。これらの構成が本発明の背景技術の部分に説明されているから当業者にとって周知の技術であると解釈してはならない。
【発明の概要】
【発明が解決しようとする課題】
【０００９】
ビーム管理の３つのプロセスにより、端末装置は、送信側の複数の異なるビームと受信側の複数の異なるビームとの組み合わせのビームペアリンク（ｂｅａｍ  ｐａｉｒ  ｌｉｎｋ：ＢＰＬ）の品質状況を取得することができる。現在のＮＲシステムは、端末装置側が複数の送信側のビーム品質を報告することをサポートしている。例えば、品質の高いビームのインデックス及びそれに対応する参照信号受信電力（ｒｅｆｅｒｅｎｃｅ  ｓｉｇｎａｌ  ｒｅｃｅｉｖｅｄ  ｐｏｗｅｒ：ＲＳＲＰ）をネットワーク装置に報告することがサポートされている。例えば、チャネル状態情報参照信号（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌｓ：ＣＳＩ−ＲＳ）のリソースインデックス及び／又は同期信号／物理ブロードキャストチャネルブロック（Ｓｙｎｃｈｒｏｎｉｚａｔｉｏｎ  ｓｉｇｎａｌ／ＰＢＣＨ  ｂｌｏｃｋ）の時間インデックスを用いて表される品質の高いビームのインデックス及びそれに対応するＲＳＲＰをネットワーク装置に報告することがサポートされている。
【００１０】
ネットワーク装置は、端末装置により報告された品質の高いビームを取得した後に、物理チャネル（ブロードキャストチャネル、データチャネル、制御チャネルなど）の伝送中これらのビームを用いて高い伝送品質を得ることができる。一方、ＮＲでは、ネットワーク装置が用いられる送信ビームを端末装置に指示することがサポートされているため、端末装置は受信を送信に合わせるように受信ビームを容易に決定することができる。ここで、ビーム指示は、擬似コロケーション（Ｑｕａｓｉ−Ｃｏ−Ｌｏｃａｔｉｏｎ：ＱＣＬ）指示又は伝送構成指示（Ｔｒａｎｓｍｉｓｓｉｏｎ  Ｃｏｎｆｉｇｕｒａｔｉｏｎ  Ｉｎｄｉｃａｔｉｏｎ：ＴＣＩ）状態の指示と称されてもよい。
【００１１】
本発明の発明者の発見により、ＮＲでは、ネットワーク装置が用いられる送信ビームを端末装置に指示することをサポートされているが、端末装置の受信信号の異なる時間的段階（異なる時間領域リソース）において、端末装置により用いられる受信ビームが異なる可能性があり、端末装置が信号を実際に受信する際に、これらの時間領域リソースの境界点が明確ではない可能性がある。このため、場合によって、ネットワーク装置により仮定された端末装置により用いられる受信ビームと端末装置により実際に用いられる受信ビームとが異なる可能性があるため、ネットワーク装置と端末装置との送受信ビームの不整合が生じ、システムの伝送信頼性の損失を引き起こしてしまう。
【００１２】
本発明の実施例は、信号受信装置、方法及び通信システムを提供する。予め定義され、或いは予め構成された参照時間領域リソースセクションに基づいて信号受信のための時間領域リソースセクションの開始位置を決定することで、ネットワーク装置及び端末装置が受信ビームを決定するための時間領域リソースが統一されているため、ネットワーク装置と端末装置との送受信ビームの不整合を回避することができ、システムの伝送信頼性を確保することができる。
【課題を解決するための手段】
【００１３】
本発明の実施例の第１態様では、信号受信装置であって、ネットワーク装置が第１送信構成指示（ＴＣＩ）状態を用いるという仮定に基づいて第１時間領域リソースセクションにおいて第１制御情報を含む第１信号を受信する第１受信部と、前記ネットワーク装置が第２送信構成指示状態を用いるという仮定に基づいて第２時間領域リソースセクションにおいて第２信号を受信する第２受信部と、を含み、前記第２時間領域リソースセクションの開始位置は、参照時間領域リソースセクションに基づいて決定され、前記参照時間領域リソースセクションは、前記第１制御情報に関連し、前記参照時間領域リソースセクションは、予め定義され、或いは予め構成される、装置を提供する。
【００１４】
本発明の実施例の第２態様では、信号受信装置であって、受信信号の時間領域リソース単位と参照時間領域リソースセクションとの時間間隔が閾値よりも大きい場合、前記時間領域リソース単位が前記受信信号の伝送のために用いられることが、受信された制御情報により指示されていないとき、前記時間領域リソース単位の送信構成指示（ＴＣＩ）状態指示を、前記受信信号に対応するビーム情報がないことに設定する第１設定部、を含み、前記参照時間領域リソースセクションは、前記制御情報に関連し、前記参照時間領域リソースセクションは、予め定義され、或いは予め構成される、装置を提供する。
【００１５】
本発明の実施例の第３態様では、本発明の実施例の第１態様又は第２態様に記載の装置を含む、端末装置を提供する。
【００１６】
本発明の実施例の第４態様では、ネットワーク装置と、本発明の実施例の第３態様に記載の端末装置と、を含む、通信システムを提供する。
【００１７】
本発明の実施例の第５態様では、信号受信方法であって、ネットワーク装置が第１送信構成指示（ＴＣＩ）状態を用いるという仮定に基づいて第１時間領域リソースセクションにおいて第１制御情報を含む第１信号を受信するステップと、前記ネットワーク装置が第２送信構成指示状態を用いるという仮定に基づいて第２時間領域リソースセクションにおいて第２信号を受信するステップと、を含み、前記第２時間領域リソースセクションの開始位置は、参照時間領域リソースセクションに基づいて決定され、前記参照時間領域リソースセクションは、前記第１制御情報に関連し、前記参照時間領域リソースセクションは、予め定義され、或いは予め構成される、方法を提供する。
【００１８】
本発明の実施例の第６態様では、信号受信方法であって、受信信号の時間領域リソース単位と参照時間領域リソースセクションとの時間間隔が閾値よりも大きい場合、前記時間領域リソース単位が前記受信信号の伝送のために用いられることが、受信された制御情報により指示されていないとき、前記時間領域リソース単位の送信構成指示（ＴＣＩ）状態指示を、前記受信信号に対応するビーム情報がないことに設定するステップ、を含み、前記参照時間領域リソースセクションは、前記制御情報に関連し、前記参照時間領域リソースセクションは、予め定義され、或いは予め構成される、方法を提供する。
【００１９】
本発明の実施例の第７態様では、コンピュータ読み取り可能なプログラムであって、信号受信装置又はネットワーク装置において前記プログラムを実行する際に、コンピュータに前記信号受信装置又は端末装置において本発明の実施例の第５態様又は第６態様に記載の信号受信方法を実行させる、プログラムを提供する。
【００２０】
本発明の実施例の第８態様では、コンピュータ読み取り可能なプログラムが記憶されている記憶媒体であって、前記プログラムを実行する際に、コンピュータに信号受信装置又は端末装置において本発明の実施例の第５態様又は第６態様に記載の信号受信方法を実行させる、記憶媒体を提供する。
【００２１】
本発明の実施例の有利な効果としては、予め定義され、或いは予め構成された参照時間領域リソースセクションに基づいて信号受信のための時間領域リソースセクションの開始位置を決定することで、ネットワーク装置及び端末装置が受信ビームを決定するための時間領域リソースが統一されているため、ネットワーク装置と端末装置との送受信ビームの不整合を回避することができ、システムの伝送信頼性を確保することができる。
【００２２】
下記の説明及び図面に示すように、本発明の特定の実施形態が詳細に開示され、本発明の原理を採用できる方式が示される。なお、本発明の実施形態の範囲はこれらに限定されない。本発明の実施形態は、添付される特許請求の範囲の要旨及び項目の範囲内において、変更されたもの、修正されたもの及び均等的なものを含む。
【００２３】
１つの実施形態に記載された特徴及び／又は示された特徴は、同一又は類似の方式で１つ又はさらに多くの他の実施形態で用いられてもよいし、他の実施形態における特徴と組み合わせてもよいし、他の実施形態における特徴に代わってもよい。
【００２４】
なお、本文では、用語「含む／有する」は、特徴、部材、ステップ又は構成要件が存在することを意味し、一つ又は複数の他の特徴、部材、ステップ又は構成要件の存在又は付加を排除しない。
【図面の簡単な説明】
【００２５】
含まれる図面は、本発明の実施例をさらに理解するために用いられ、明細書の一部を構成し、本発明の実施形態を例示するために用いられ、文言の記載と共に本発明の原理を説明する。なお、以下に説明される図面は、単なる本発明の一部の実施例であり、当業者にとっては、これらの図面に基づいて他の図面を容易に想到できる。
【図１】本発明の実施例の通信システムの概略図である。
【図２】本発明の実施例１の信号受信方法の概略図である。
【図３】本発明の実施例１の第１時間領域リソースセクション及び第２時間領域リソースセクションの１つの概略図である。
【図４】本発明の実施例１の第１時間領域リソースセクション及び第２時間領域リソースセクションのもう１つの概略図である。
【図５】本発明の実施例１の第１時間領域リソースセクション及び第２時間領域リソースセクションのもう１つの概略図である。
【図６】本発明の実施例１の第１時間領域リソースセクション、第２時間領域リソースセクション及び第３時間領域リソースセクションの１つの概略図である。
【図７】本発明の実施例１の第１時間領域リソースセクション、第２時間領域リソースセクション及び第３時間領域リソースセクションのもう１つの概略図である。
【図８】本発明の実施例１の第１時間領域リソースセクション、第２時間領域リソースセクション及び第３時間領域リソースセクションのもう１つの概略図である。
【図９】本発明の実施例１の第１時間領域リソースセクション、第２時間領域リソースセクション及び第３時間領域リソースセクションのもう１つの概略図である。
【図１０】本発明の実施例１の第１時間領域リソースセクション、第２時間領域リソースセクション及び第３時間領域リソースセクションのもう１つの概略図である。
【図１１】本発明の実施例１の第１時間領域リソースセクション、第２時間領域リソースセクション及び第３時間領域リソースセクションのもう１つの概略図である。
【図１２】本発明の実施例１のＣＯＲＥＳＥＴと制御情報の概略図である。
【図１３】本発明の実施例１の第１時間領域リソースセクション、第２時間領域リソースセクション及び参照時間領域リソースセクションの１つの概略図である。
【図１４】本発明の実施例１の第１時間領域リソースセクション、第２時間領域リソースセクション、第３時間領域リソースセクション及び参照時間領域リソースセクションの１つの概略図である。
【図１５】本発明の実施例２の信号受信方法の概略図である。
【図１６】本発明の実施例３の信号受信装置の概略図である。
【図１７】本発明の実施例４の信号受信装置の概略図である。
【図１８】本発明の実施例５の端末装置のシステム構成の概略ブロック図である。
【発明を実施するための形態】
【００２６】
本発明の上記及び他の特徴は以下の説明により明らかになる。明細書及び図面において、本発明の特定の実施形態が詳細に開示され、本発明の原理を採用できる実施形態の一部が示される。なお、本発明は説明される実施形態に限定されない。本発明は、添付される特許請求の範囲内の全ての変更されたもの、変形されたもの及び均等的なものを含む。
【００２７】
本発明の実施例では、用語「第１」、「第２」などは、タイトルで異なる要素を区別するために用いられるが、これらの要素の空間的配列又は時間的順序などを表すものではなく、これらの要素はこれらの用語に制限されない。用語「及び／又は」は、関連するリストに列挙された用語の１つ又は複数のうち何れか１つ及び全ての組み合わせを含む。用語「含む」、「包括する」、「有する」などは、列挙された特徴、要素、素子又は構成部材の存在を意味するが、１つ又は複数の他の特徴、要素、素子又は構成部材の存在又は追加を排除するものではない。
【００２８】
本発明の実施例では、単数形の「１つ」、「該」などは複数形を含み、「１種類」又は「１類」と広義的に理解されるべきであり、「１個」に限定されない。また、用語「前記」は、文脈がそうでないことを明確に示さない限り、単数形及び複数形両方を含むと理解されるべきである。また、文脈がそうでないことを明確に示さない限り、用語「に記載の」は「少なくとも一部に記載の」と理解されるべきであり、用語「に基づいて」は「少なくとも一部に基づいて」と理解されるべきである。
【００２９】
本発明の実施例では、用語「通信ネットワーク」又は「無線通信ネットワーク」は、例えばロングタームエボリューション（ＬＴＥ：Ｌｏｎｇ  Ｔｅｒｍ  Ｅｖｏｌｕｔｉｏｎ）、進化したロングタームエボリューション（ＬＴＥ−Ａ、ＬＴＥ−Ａｄｖａｎｃｅｄ）、広帯域符号分割多元接続（ＷＣＤＭＡ(登録商標)：Ｗｉｄｅｂａｎｄ  Ｃｏｄｅ  Ｄｉｖｉｓｉｏｎ  Ｍｕｌｔｉｐｌｅ  Ａｃｃｅｓｓ）、高速パケットアクセス（ＨＳＰＡ：Ｈｉｇｈ−Ｓｐｅｅｄ  Ｐａｃｋｅｔ  Ａｃｃｅｓｓ）などの任意の通信規格に適合するネットワークを意味してもよい。
【００３０】
また、通信システムにおける装置間の通信は、任意の段階の通信プロトコルに従って行われてもよく、該通信プロトコルは、例えば１Ｇ（ｇｅｎｅｒａｔｉｏｎ）、２Ｇ、２．５Ｇ、２．７５Ｇ、３Ｇ、４Ｇ、４．５Ｇ、及び将来の５Ｇ、新しい無線（ＮＲ：Ｎｅｗ  Ｒａｄｉｏ）等、及び／又は現在の既知の他の通信プロトコル若しくは将来開発される他の通信プロトコルを含んでもよいが、これらに限定されない。
【００３１】
本発明の実施例では、用語「ネットワーク装置」は、例えば通信システムに端末装置をアクセスさせて該端末装置にサービスを提供する通信システム内の装置を意味する。ネットワーク装置は、伝送ポイント（Ｔｒａｎｓｍｉｓｓｉｏｎ  Ｐｏｉｎｔ）、基地局（ＢＳ：Ｂａｓｅ  Ｓｔａｔｉｏｎ）、アクセスポイント（ＡＰ：Ａｃｃｅｓｓ  Ｐｏｉｎｔ）、送受信ポイント（ＴＲＰ：Ｔｒａｎｓｍｉｓｓｉｏｎ  Ｒｅｃｅｐｔｉｏｎ  Ｐｏｉｎｔ）、ブロードキャスト送信機、モビリティ管理エンティティ（ＭＭＥ：Ｍｏｂｉｌｅ  Ｍａｎａｇｅｍｅｎｔ  Ｅｎｔｉｔｙ）、ゲートウェイ、サーバ、無線ネットワークコントローラ（ＲＮＣ：Ｒａｄｉｏ  Ｎｅｔｗｏｒｋ  Ｃｏｎｔｒｏｌｌｅｒ）、基地局コントローラ（ＢＳＣ：Ｂａｓｅ  Ｓｔａｔｉｏｎ  Ｃｏｎｔｒｏｌｌｅｒ）などを含んでもよいが、これらに限定されない。
【００３２】
そのうち、基地局は、ノードＢ（ＮｏｄｅＢ又はＮＢ）、進化ノードＢ（ｅＮｏｄｅＢ又はｅＮＢ）、及び５Ｇ基地局（ｇＮＢ）など、並びにリモート無線ヘッド（ＲＲＨ：Ｒｅｍｏｔｅ  Ｒａｄｉｏ  Ｈｅａｄ）、リモート無線ユニット（ＲＲＵ：Ｒｅｍｏｔｅ  Ｒａｄｉｏ  Ｕｎｉｔ）、中継装置（ｒｅｌａｙ）又は低電力ノード（例えばｆｅｍｔｏ、ｐｉｃｏなど）を含んでもよいが、これらに限定されない。また、用語「基地局」はそれらの機能の一部又は全てを含んでもよく、各基地局は特定の地理的エリアに対して通信カバレッジを提供してもよい。用語「セル」は、該用語が使用されるコンテキストに応じて、基地局及び／又はそのカバレッジエリアを意味してもよい。
【００３３】
本発明の実施例では、用語「ユーザ装置」（ＵＥ：Ｕｓｅｒ  Ｅｑｕｉｐｍｅｎｔ）又は用語「端末装置」（ＴＥ：Ｔｅｒｍｉｎａｌ  Ｅｑｕｉｐｍｅｎｔ）は、例えばネットワーク装置を介して通信ネットワークにアクセスし、ネットワークサービスを受ける装置を意味する。端末装置は、固定的なもの又は移動的なものであってもよく、移動局（ＭＳ：Ｍｏｂｉｌｅ  Ｓｔａｔｉｏｎ）、端末、加入者ステーション（ＳＳ：Ｓｕｂｓｃｒｉｂｅｒ  Ｓｔａｔｉｏｎ）、アクセス端末（ＡＴ：Ａｃｃｅｓｓ  Ｔｅｒｍｉｎａｌ）、ステーションなどと称されてもよい。
【００３４】
そのうち、端末装置は、携帯電話（Ｃｅｌｌｕｌａｒ  Ｐｈｏｎｅ）、パーソナルデジタルアシスタント（ＰＤＡ：Ｐｅｒｓｏｎａｌ  Ｄｉｇｉｔａｌ  Ａｓｓｉｓｔａｎｔ）、無線変復調装置、無線通信装置、ハンドヘルドデバイス、マシンタイプ通信装置、ラップトップコンピュータ、コードレス電話、スマートフォン、スマートウォッチ、デジタルカメラなどを含んでもよいが、これらに限定されない。
【００３５】
例えば、モノのインターネット（ＩｏＴ：Ｉｎｔｅｒｎｅｔ  ｏｆ  Ｔｈｉｎｇｓ）などのシナリオでは、端末装置は、監視又は測定を行う機器又は装置であってもよく、例えばマシンタイプ通信（ＭＴＣ：Ｍａｃｈｉｎｅ  Ｔｙｐｅ  Ｃｏｍｍｕｎｉｃａｔｉｏｎ）端末、車載通信端末、デバイスツーデバイス（Ｄ２Ｄ：Ｄｅｖｉｃｅ  ｔｏ  Ｄｅｖｉｃｅ）端末、マシンツーマシン（Ｍ２Ｍ：Ｍａｃｈｉｎｅ  ｔｏ  Ｍａｃｈｉｎｅ）端末などを含んでもよいが、これらに限定されない。
【００３６】
制御チャネル（ＣＣＨ：Ｃｏｎｔｒｏｌ  Ｃｈａｎｎｅｌ）は、制御シグナリングを伝送するために用いられ、そのうち、物理ダウンリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）は通常の制御チャネルの１つであり、スケジューリング及び他の制御情報を搬送するために用いられる。本発明の実施例では、ＮＲシステムのＰＤＣＣＨ（ＮＲ−ＰＤＣＣＨ）を一例にして説明するが、本発明の実施例はこれに限定されない。
【００３７】
データチャネルは、データを伝送するために用いられ、そのうち、物理ダウンリンク共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）は通常の制御チャネルの１つであり、通信データを搬送するために用いられる。本発明の実施例では、ＮＲシステムのＰＤＳＣＨ（ＮＲ−ＰＤＳＣＨ）を一例にして説明するが、本発明の実施例はこれに限定されない。
【００３８】
本発明の実施例では、伝送構成指示（Ｔｒａｎｓｍｉｓｓｉｏｎ  Ｃｏｎｆｉｇｕｒａｔｉｏｎ  Ｉｎｄｉｃａｔｉｏｎ：ＴＣＩ）状態の指示は、擬似コロケーション（Ｑｕａｓｉ−Ｃｏ−Ｌｏｃａｔｉｏｎ：ＱＣＬ）指示又はビーム指示と同等であってもよい。ＴＣＩ状態は、用いられるビームに関連する情報、例えばビームの番号、伝送パラメータなどを表す。なお、本発明の実施例はこれに限定されない。
【００３９】
本発明の実施例では、「時間領域リソース単位」は、時間領域リソースを計量するための単位であり、例えば、「時間領域リソース単位」は、時間領域シンボル、スロット又はサブフレームである。
【００４０】
本発明の実施例では、「時間領域リソースセクション」とは、時間領域リソース単位を用いて計量された時間領域リソースの特定のセクション（特定の範囲の時間領域リソース）を意味する。
【００４１】
以下は、例を参照しながら本発明の実施例のシナリオを説明するが、本発明の実施例はこれに限定されない。
【００４２】
本発明の実施例では、サービングネットワーク装置及び協調ネットワーク装置は、端末装置に応じて異なり、例えば、通信システムに複数の端末装置が含まれる場合、ネットワーク装置は、１つの端末装置に対するサービングネットワーク装置であり、他の端末装置に対する協調ネットワーク装置である場合がある。
【００４３】
図１は本発明の実施例の通信システムの概略図であり、端末装置及びネットワーク装置の例を概略的に示している。図１に示すように、通信システム１００は、１つのネットワーク装置１０１及び１つの端末装置１０２を含んでもよい。図１では、ネットワーク装置及び端末装置の数が１つである例を示しているが、ネットワーク装置及び端末装置の数は複数であってもよく、その数は実際の要求に応じて設定されてもよい。
【００４４】
本発明の実施例では、ネットワーク装置１０１と端末装置１０２との間では、既存のトラフィック又は将来に実装可能なトラフィックを行うことができる。例えば、これらのトラフィックは、拡張モバイルブロードバンド（ｅＭＢＢ：ｅｎｈａｎｃｅｄ  Ｍｏｂｉｌｅ  Ｂｒｏａｄｂａｎｄ）、大規模マシンタイプ通信（ｍＭＴＣ：ｍａｓｓｉｖｅ  Ｍａｃｈｉｎｅ  Ｔｙｐｅ  Ｃｏｍｍｕｎｉｃａｔｉｏｎ）及び高信頼性低遅延通信（ＵＲＬＬＣ：Ｕｌｔｒａ−Ｒｅｌｉａｂｌｅ  ａｎｄ  Ｌｏｗ−Ｌａｔｅｎｃｙ  Ｃｏｍｍｕｎｉｃａｔｉｏｎ）などを含むが、これらに限定されない。
【００４５】
＜実施例１＞
本実施例は信号受信方法を提供し、該方法は端末装置側に適用される。図２は本発明の実施例１の信号受信方法の概略図である。図２に示すように、該方法は以下のステップを含む。
【００４６】
ステップ２０１：ネットワーク装置が第１送信構成指示（ＴＣＩ）状態を用いるという仮定に基づいて、第１時間領域リソースセクションにおいて、第１制御情報を含む第１信号を受信する。
【００４７】
ステップ２０２：該ネットワーク装置が第２送信構成指示（ＴＣＩ）状態を用いるという仮定に基づいて、第２時間領域リソースセクションにおいて第２信号を受信する。第２時間領域リソースセクションの開始位置は、参照時間領域リソースセクションに基づいて決定され、該参照時間領域リソースセクションは、該第１制御情報に関連し、該参照時間領域リソースセクションは、予め定義され、或いは予め構成される。
【００４８】
本実施例によれば、予め定義され、或いは予め構成された参照時間領域リソースセクションに基づいて信号受信のための時間領域リソースセクションの開始位置を決定することで、ネットワーク装置及び端末装置が受信ビームを決定するための時間領域リソースが統一されているため、ネットワーク装置と端末装置との送受信ビームの不整合を回避することができ、システムの伝送信頼性を確保することができる。
【００４９】
本実施例では、該方法は、以下のステップをさらに含んでもよい。
【００５０】
ステップ２０３：該ネットワーク装置が第３送信構成指示状態を用いるという仮定に基づいて第３時間領域リソースセクションにおいて第３信号を受信する。該第３時間領域リソースセクションの開始位置は、該参照時間領域リソースセクション及び閾値に基づいて決定され、或いは、該第３時間領域リソースセクションの開始位置は、該参照時間領域リソースセクションに基づいて決定され、該閾値は、予め定義され、或いは予め構成される。
【００５１】
本実施例では、ステップ２０３はオプションのステップである。
【００５２】
本実施例では、該第１時間領域リソースセクションは、少なくとも１つの時間領域リソース単位を含んでもよく、該第２時間領域リソースセクションは、少なくとも１つの時間領域リソース単位を含んでもよく、該第３時間領域リソースセクションは、少なくとも１つの時間領域リソース単位を含んでもよい。
【００５３】
本実施例では、該時間領域リソース単位は、時間領域シンボル、スロット又はサブフレームである。例えば、該時間領域リソース単位は、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：直交周波数分割多重）シンボルである。
【００５４】
本実施例では、第１時間領域リソースセクション、第２時間領域リソースセクション及び第３時間領域リソースセクションは、時間軸上で順次配列してもよく、言い換えれば、端末装置は、第１制御情報を含む第１信号、第２信号及び第３信号を順次受信してもよい。
【００５５】
本実施例では、第１時間領域リソースセクションと第２時間領域リソースセクションとは、連続してもよいし、間隔を隔ててもよいし、部分的に重なり合ってもよい。第１時間領域リソースセクションと第２時間領域リソースセクションと第３時間領域リソースセクションとは、２つずつ、連続してもよいし、間隔を隔ててもよいし、部分的に重なり合ってもよい。
【００５６】
以下は本実施例の第１時間領域リソースセクションと第２時間領域リソースセクションとの時間軸上の関係、及び第１時間領域リソースセクションと第２時間領域リソースセクションと第３時間領域リソースセクションとの時間軸上の関係を例示的に説明する。
【００５７】
図３は本発明の実施例１の第１時間領域リソースセクション及び第２時間領域リソースセクションの１つの概略図である。図３に示すように、第１時間領域リソースセクション及び第２時間領域リソースセクションは時間軸上に順次配列し、第２時間領域リソースセクションは第１時間領域リソースセクションの直後に位置する。
【００５８】
図４は本発明の実施例１の第１時間領域リソースセクション及び第２時間領域リソースセクションのもう１つの概略図である。図４に示すように、第１時間領域リソースセクション及び第２時間領域リソースセクションは時間軸上に順次配列し、第２時間領域リソースセクションと第１時間領域リソースセクションとの間は、一定の間隔が隔てられている。
【００５９】
図５は本発明の実施例１の第１時間領域リソースセクション及び第２時間領域リソースセクションのもう１つの概略図である。第２時間領域リソースセクションと第１時間領域リソースセクションとは、時間領域において部分的に重なっている。
【００６０】
図６は本発明の実施例１の第１時間領域リソースセクション、第２時間領域リソースセクション及び第３時間領域リソースセクションの１つの概略図である。図６に示すように、第１時間領域リソースセクション、第２時間領域リソースセクション及び第３時間領域リソースセクションは時間軸上に順次配列し、第２時間領域リソースセクションは第１時間領域リソースセクションの直後に位置し、第３時間領域リソースセクションは第２時間領域リソースセクションの直後に位置する。図７は本発明の実施例１の第１時間領域リソースセクション、第２時間領域リソースセクション及び第３時間領域リソースセクションのもう１つの概略図である。図７に示すように、第１時間領域リソースセクション、第２時間領域リソースセクション及び第３時間領域リソースセクションは時間軸上に順次配列し、第２時間領域リソースセクションと第１時間領域リソースセクションとの間は一定の間隔が隔てられており、第３時間領域リソースセクションは第２時間領域リソースセクションの直後に位置する。
【００６１】
図８は本発明の実施例１の第１時間領域リソースセクション、第２時間領域リソースセクション及び第３時間領域リソースセクションのもう１つの概略図である。図８に示すように、第２時間領域リソースセクションと第１時間領域リソースセクションとは時間領域において部分的に重なっており、第３時間領域リソースセクションは第２時間領域リソースセクションの直後に位置する。
【００６２】
図９は本発明の実施例１の第１時間領域リソースセクション、第２時間領域リソースセクション及び第３時間領域リソースセクションのもう１つの概略図である。図９に示すように、第２時間領域リソースセクションと第１時間領域リソースセクションとは時間領域において部分的に重なっており、第３時間領域リソースセクションと第２時間領域リソースセクションとの間は一定の間隔が隔てられている。
【００６３】
図１０は本発明の実施例１の第１時間領域リソースセクション、第２時間領域リソースセクション及び第３時間領域リソースセクションのもう１つの概略図である。図１０に示すように、第２時間領域リソースセクションと第１時間領域リソースセクションとは時間領域において部分的に重なっており、第３時間領域リソースセクションと第２時間領域リソースセクションとは時間領域において部分的に重なっている。
【００６４】
図１１は本発明の実施例１の第１時間領域リソースセクション、第２時間領域リソースセクション及び第３時間領域リソースセクションのもう１つの概略図である。図１１に示すように、第１時間領域リソースセクション、第２時間領域リソースセクション及び第３時間領域リソースセクションは時間軸上に順次配列し、第２時間領域リソースセクションと第１時間領域リソースセクションとの間は一定の間隔が隔てられており、第３時間領域リソースセクションと第２時間領域リソースセクションとの間は一定の間隔が隔てられている。
【００６５】
本実施例では、第１時間領域リソースセクション、第２時間領域リソースセクション及び第３時間領域リソースセクションの長さは実際の状況に応じて決定されてもよく、例えば、第１時間領域リソースセクション、第２時間領域リソースセクション及び第３時間領域リソースセクションのそれぞれにより受信される信号のタイプ及び／又はデータ量に基づいて決定されてもよい。
【００６６】
例えば、端末装置により第１時間領域リソースセクションにおいて受信される第１信号は制御チャネルである。例えば、第１信号は、物理ダウンリンク制御チャネル（ＰＤＣＣＨ）であり、それに含まれる第１制御情報はダウンリンク制御情報（Ｄｏｗｎｌｉｎｋ  Ｃｏｎｔｒｏｌ  Ｉｎｆｏｒｍａｔｉｏｎ：ＤＣＩ）である。
【００６７】
例えば、端末装置により第２時間領域リソースセクションにおいて受信される第２信号は、第１データチャネルである。例えば、第２信号は、第１物理ダウンリンク共有チャネル（ＰＤＳＣＨ）である。
【００６８】
例えば、端末装置により第３時間領域リソースセクションにおいて受信される第３信号は、第２データチャネルである。例えば、第３信号は、第２物理ダウンリンク共有チャネル（ＰＤＳＣＨ）である。
【００６９】
本実施例では、例えば、第１信号における第１制御情報は、端末装置が該第１データチャネル及び／又は第２データチャネルを受信するように指示するために用いられる。
【００７０】
本実施例では、該第２信号は、第２制御情報を含んでもよく、例えば、マルチステップ又はマルチレベルの制御情報である。該第１制御情報は、該第２制御情報の伝送パラメータを指示するために用いられてもよい。
【００７１】
例えば、該伝送パラメータは、チャネル符号化、符号化レート、変調方式、時間周波数リソース位置及び送信構成指示状態のうちの少なくとも１つのパラメータを含む。
【００７２】
本実施例では、該第１データチャネルと該第２データチャネルとは同一であってもよいし、異なってもよい。
【００７３】
例えば、本実施例では、該第１データチャネルと該第２データチャネルとが同一であることとは、該第１データチャネルと該第２データチャネルとが同一の情報ブロック（Ｔｒａｎｓｐｏｒｔ  ｂｌｏｃｋ）の同一のデータチャネルの２つの部分に対応することを意味する。該第１データチャネルと該第２データチャネルとが異なることとは、該第１データチャネルと該第２データチャネルとが２つの情報ブロックにそれぞれ対応する異なるデータチャネルであることを意味する。
【００７４】
ステップ２０１及びステップ２０２において、ネットワーク装置が第１ＴＣＩ状態を用いるという仮定に基づいて第１時間領域リソースセクションにおいて第１制御情報を含む第１信号を受信し、該ネットワーク装置が第２ＴＣＩ状態を用いるという仮定に基づいて第２時間領域リソースセクションにおいて第２信号を受信する。
【００７５】
例えば、ネットワーク装置が第１ＴＣＩ状態を用いるという仮定に基づいて第１時間領域リソースセクションにおいてＤＣＩを含むＰＤＣＣＨを受信し、該ネットワーク装置が第２ＴＣＩ状態を用いるという仮定に基づいて第２時間領域リソースセクションにおいて第１ＰＤＳＣＨを受信する。
【００７６】
本実施例では、ネットワーク装置が第１ＴＣＩ状態を用いるという仮定に基づくこと及びネットワーク装置が第２ＴＣＩ状態を用いるという仮定に基づくことは、ネットワーク装置が第１ＴＣＩ状態により表されるビームを用いて第１信号を送信すると端末装置により見なされること、及びネットワーク装置が第２ＴＣＩ状態により表されるビームを用いて第２信号を送信すると端末装置により見なされることを意味する。また、ネットワーク装置が第３送信構成指示状態を用いるという仮定に基づくことは、ネットワーク装置が第３ＴＣＩ状態により表されるビームを用いて第３信号を送信すると端末装置により見なされることを意味する。
【００７７】
本実施例では、第１ＴＣＩ状態と第２ＴＣＩ状態とは同一であってもよいし、異なってもよい。
【００７８】
本実施例では、第２ＴＣＩ状態と第３ＴＣＩ状態とは同一であってもよいし、異なってもよい。
【００７９】
本実施例では、第１ＴＣＩ状態は少なくとも１つのＴＣＩ状態を含んでもよく、第２ＴＣＩ状態は少なくとも１つのＴＣＩ状態を含んでもよく、第３ＴＣＩ状態は少なくとも１つのＴＣＩ状態を含んでもよい。
【００８０】
本実施例では、第２時間領域リソースセクションの開始位置は、参照時間領域リソースセクションに基づいて決定され、該参照時間領域リソースセクションは、予め定義され、或いは予め構成される。これによって、ネットワーク装置及び端末装置の両方は、第２信号の受信及び送信を開始するための時間領域リソース単位を明確に取得することができる。よって、ネットワーク装置及び端末装置により決定された第２信号を受信するための受信ビームは、同一のＴＣＩ状態である。
【００８１】
本実施例では、該参照時間領域リソースセクションが予め定義され、或いは予め構成されることとは、該参照時間領域リソースセクションが予め定義された時間領域リソース単位であり、或いは該参照時間領域リソースセクションが上位層により予め構成された時間領域リソース単位であることを意味する。
【００８２】
以下は、参照時間領域リソースセクションの決定方法を例示的に説明する。
【００８３】
本実施例では、該参照時間領域リソースセクションは、該第１制御情報に関連してもよい。例えば、該参照時間領域リソースセクションが該第１制御情報に関連することとは、該参照時間領域リソースセクションが、第１制御情報の実際の受信時間に関連せず、第１制御情報のための制御リソースに関連することを意味する。
【００８４】
例えば、該方法は以下のステップをさらに含んでもよい。
【００８５】
ステップ２０４：構成された制御リソースセット（ｃｏｎｔｒｏｌ  ｒｅｓｏｕｒｃｅ  ｓｅｔ：ＣＯＲＥＳＥＴ）において該第１制御情報を検出する。該構成された制御リソースセットは、少なくとも１つの制御リソースセットを含む。
【００８６】
本実施例では、ステップ２０４はオプションのステップである。
【００８７】
本実施例では、該参照時間領域リソースセクションは、該構成された制御リソースセットにおける時間軸上の特定の位置にある時間領域リソース単位であってもよい。
【００８８】
例えば、該構成されたＣＯＲＥＳＥＴにより占有される時間領域リソースは、３つのＯＦＤＭシンボルを含み、該参照時間領域リソースセクションは、１番目のＯＦＤＭシンボルであってもよいし、２番目のＯＦＤＭシンボルであってもよいし、３番目のＯＦＤＭシンボルであってもよい。
【００８９】
本実施例では、該参照時間領域リソースセクションは、該構成された制御リソースセットにおける時間軸上の最後の位置にある時間領域リソース単位であり、或いは時間軸上の該構成された制御リソースセットの直後の時間領域リソース単位であってもよい。
【００９０】
例えば、該構成されたＣＯＲＥＳＥＴにより占有される時間領域リソースは、３つのＯＦＤＭシンボルを含み、該参照時間領域リソースセクションは、３番目のＯＦＤＭシンボルであってもよいし、該ＣＯＲＥＳＥＴの直後のＯＦＤＭシンボルであってもよい。
【００９１】
本実施例では、該参照時間領域リソースセクションは、該構成された制御リソースセットにおけるサーチスペースセット（ｓｅａｒｃｈ  ｓｐａｃｅ  ｓｅｔ）の所在するリソースの時間軸上の最も早い位置にある時間領域リソース単位であってもよい。該構成されたサーチスペースセットは、少なくとも１つのサーチスペースセットを含む。
【００９２】
例えば、該構成されたＣＯＲＥＳＥＴは４つのサーチスペースセットを有し、この４つのサーチスペースセットの監視パターンで指示された１番目の監視すべきＯＦＤＭシンボルは、それぞれシンボル１、１、２、０である。この場合、該参照時間領域リソースセクションは、シンボル０であり、即ち１番目のＯＦＤＭシンボルである。
【００９３】
本実施例では、該参照時間領域リソースセクションは、該構成された制御リソースセットにおけるサーチスペースセットの所在するリソースの時間軸上の最後の位置にある時間領域リソース単位であり、或いは時間軸上の該構成された制御リソースセットにおけるサーチスペースセットの所在するリソースの直後の時間領域リソース単位であってもよい。
【００９４】
例えば、該構成されたＣＯＲＥＳＥＴは４つのサーチスペースセットを有し、この４つのサーチスペースセットの監視パターンで指示された最後の監視すべきＯＦＤＭシンボルは、それぞれシンボル１、２、０、２である。この場合、該参照時間領域リソースセクションは、シンボル２であり、即ち３番目のＯＦＤＭシンボルであり、或いはシンボル３であり、即ち３番目のＯＦＤＭシンボルの次のＯＦＤＭシンボルである。
【００９５】
本実施例では、該参照時間領域リソースセクションは、第１制御情報の所在する制御リソースセットにおける特定の位置の時間領域リソースセクションであってもよい。
【００９６】
図１２は本発明の実施例１のＣＯＲＥＳＥＴと制御情報の概略図である。
【００９７】
図１２に示すように、該第１制御情報（例えばＤＣＩ）の所在するＣＯＲＥＳＥＴはＣＯＲＥＳＥＴ２であり、ＣＯＲＥＳＥＴ２は２つのＯＦＤＭシンボルを占有し、該参照時間領域リソースセクションは１番目のＯＦＤＭシンボル（シンボル０）であってもよいし、２番目のＯＦＤＭシンボル（シンボル１）であってもよい。
【００９８】
本実施例では、該参照時間領域リソースセクションは、第１制御情報の所在する制御リソースセットにおける時間軸上の最後の位置にある時間領域リソースセクションであり、或いは時間軸上の第１制御情報の所在する制御リソースセットの直後の時間領域リソースセクションであってもよい。
【００９９】
例えば、該第１制御情報の所在するＣＯＲＥＳＥＴは２つのＯＦＤＭシンボルを占有し、該参照時間領域リソースセクションは２番目のＯＦＤＭシンボルであってもよいし、該ＣＯＲＥＳＥＴの直後のＯＦＤＭシンボルであってもよい。
【０１００】
本実施例では、該参照時間領域リソースセクションは、該第１制御情報の所在する制御リソースセットにおけるサーチスペースセット（ｓｅａｒｃｈ  ｓｐａｃｅ  ｓｅｔ）の所在するリソースの時間軸上の最も早い位置にある時間領域リソース単位であってもよい。
【０１０１】
例えば、該該第１制御情報の所在するＣＯＲＥＳＥＴは４つのサーチスペースセットを有し、第１制御情報の所在するサーチスペースセットの監視パターンで指示された１番目の監視すべきＯＦＤＭシンボルは、シンボル１である。この場合、該参照時間領域リソースセクションは、シンボル１であり、即ち２番目のＯＦＤＭシンボルである。
【０１０２】
本実施例では、該参照時間領域リソースセクションは、該第１制御情報の所在する制御リソースセットにおけるサーチスペースセットの所在するリソースの時間軸上の最後の位置にある時間領域リソース単位であり、或いは時間軸上の該第１制御情報の所在する制御リソースセットにおけるサーチスペースセットの所在するリソースの直後の時間領域リソース単位であってもよい。
【０１０３】
例えば、該第１制御情報の所在するＣＯＲＥＳＥＴは４つのサーチスペースセットを有し、第１制御情報の所在するサーチスペースセットの監視パターンで指示された１番目の監視すべきＯＦＤＭシンボル及び所在するＣＯＲＥＳＥＴ関連構成により共同で決定された最後の監視すべきＯＦＤＭシンボルは、シンボル２である。この場合、該参照時間領域リソースセクションは、シンボル２であり、即ち３番目のＯＦＤＭシンボルであり、或いは３番目のＯＦＤＭシンボルの次のＯＦＤＭシンボルである。
【０１０４】
本実施例では、該参照時間領域リソースセクションは、該第１制御情報の所在するスケジューリング単位における１番目、２番目又は３番目の時間領域シンボルであってもよい。該スケジューリング単位は、１つのスロット又は少なくとも１つのシンボルを含む。
【０１０５】
本実施例では、該第２時間領域リソースセクションの開始位置は、該参照時間領域リソースセクションに基づいて決定される。
【０１０６】
例えば、該第２時間領域リソースセクションは、該参照時間領域リソースセクションから始まる。
【０１０７】
或いは、該第２時間領域リソースセクションは、該参照時間領域リソースセクションの直後の時間領域リソース単位から始まる。
【０１０８】
或いは、該第２時間領域リソースセクションは、該参照時間領域リソースセクションの後のＮ番目の時間領域リソース単位から始まり、Ｎは該第１制御情報により指示され、Ｎは自然数である。
【０１０９】
図１３は本発明の実施例１の第１時間領域リソースセクション、第２時間領域リソースセクション及び参照時間領域リソースセクションの１つの概略図である。図１３に示すように、該第２時間領域リソースセクションは、該参照時間領域リソースセクションから始まる。
【０１１０】
ステップ２０３において、該ネットワーク装置が第３送信構成指示状態を用いるという仮定に基づいて、第３時間領域リソースセクションにおいて第３信号を受信する。該第３時間領域リソースセクションの開始位置は、該参照時間領域リソースセクション及び閾値に基づいて決定され、或いは、該第３時間領域リソースセクションの開始位置は、該参照時間領域リソースセクションに基づいて決定され、該閾値は、予め定義され、或いは予め構成される。
【０１１１】
本実施例では、該第３時間領域リソースセクションは、該参照時間領域リソースセクションの後のＭ番目の時間領域リソース単位から始まり、Ｍは該閾値に等しく、Ｍは自然数である。或いは、該第３時間領域リソースセクションは、該参照時間領域リソースセクションの後のＳ番目の時間領域リソース単位から始まり、Ｓは該第１制御情報により指示され、Ｓは自然数である。
【０１１２】
本実施例では、該閾値は実際の状況に設定されてもよく、例えば端末装置の復調時間などに基づいて決定されてもよい。
【０１１３】
図１４は本発明の実施例１の第１時間領域リソースセクション、第２時間領域リソースセクション、第３時間領域リソースセクション及び参照時間領域リソースセクションの１つの概略図である。図１４に示すように、該第２時間領域リソースセクションは、該参照時間領域リソースセクションから始まり、該第３時間領域リソースセクションは、該参照時間領域リソースセクションの後のＭ番目の時間領域リソース単位から始まり、Ｍは該閾値に等しい。
【０１１４】
本実施例では、該端末装置は、該ネットワーク装置が第４送信構成指示状態を用いるという仮定に基づいて、第４時間領域リソースセクションにおいて第４信号を受信し、或いは、該ネットワーク装置がより多くの送信構成指示状態を用いるという仮定に基づいて、より多くの時間領域リソースセクションにおいてより多くの信号を受信してもよい。これらの時間領域リソースセクションの開始位置は、同様に参照時間領域リソースセクションに基づいて決定されてもよく、具体的な決定方法は上記の方法と同様であり、ここでその説明を省略する。
【０１１５】
本実施例によれば、予め定義され、或いは予め構成された参照時間領域リソースセクションに基づいて信号受信のための時間領域リソースセクションの開始位置を決定することで、ネットワーク装置及び端末装置が受信ビームを決定するための時間領域リソースが統一されているため、ネットワーク装置と端末装置との送受信ビームの不整合を回避することができ、システムの伝送信頼性を確保することができる。
【０１１６】
＜実施例２＞
本発明の実施例は信号受信方法をさらに提供し、該方法は端末装置側に適用される。
【０１１７】
図１５は本発明の実施例２の信号受信方法の概略図である。図１５に示すように、該方法は以下のステップを含む。
【０１１８】
ステップ１５０１：受信信号の時間領域リソース単位と参照時間領域リソースセクションとの時間間隔が閾値よりも大きい場合、該時間領域リソース単位が該受信信号の伝送のために用いられることが、受信された制御情報により指示されていないとき、該時間領域リソース単位の送信構成指示（ＴＣＩ）状態指示を、該受信信号に対応するビーム情報がないことに設定する。
【０１１９】
ここで、該参照時間領域リソースセクションは、該制御情報に関連し、該参照時間領域リソースセクションは、予め定義され、或いは予め構成される。
【０１２０】
本実施例では、該受信信号はデータチャネルであってもよく、例えば、該受信信号は物理ダウンリンク共有チャネル（ＰＤＳＣＨ）である。
【０１２１】
本実施例では、参照時間領域リソースセクションの決定方法は、実施例１における方法と同様であってもよく、ここでその説明を省略する。
【０１２２】
本実施例では、該位置器の決定方法は、実施例１における方法と同様であってもよく、ここでその説明を省略する。
【０１２３】
本実施例では、時間領域リソース単位は、時間領域シンボル、スロット又はサブフレームであってもよく、例えば、該時間領域リソース単位は、ＯＦＤＭシンボルである。
【０１２４】
本実施例では、受信信号の時間領域リソース単位と参照時間領域リソースセクションとの時間間隔が閾値よりも大きい場合、該時間領域リソース単位が該受信信号の伝送のために用いられることが、受信された制御情報により指示されていないとき、該時間領域リソース単位のＴＣＩ指示を、該受信信号に対応するビーム情報がないことに設定することで、元のＴＣＩ状態を用いるという仮定に基づいてネットワーク装置から送信された信号を受信することを回避することができ、エネルギー損失を回避することができる。
【０１２５】
本実施例では、該方法は以下のステップをさらに含んでもよい。
【０１２６】
ステップ１５０２：該受信信号と参照信号とが同一の時間領域リソース単位において伝送される場合、該受信信号のために構成された第１送信構成指示状態指示と該参照信号のために構成された第２送信構成指示状態指示とが異なるとき、該第２送信構成指示状態指示が該第１送信構成指示状態指示よりも高い優先度を有するように設定する。
【０１２７】
本実施例では、該参照信号は、例えばチャネル状態情報参照信号（ＣＳＩ−ＲＳ）若しくはトラッキング参照信号（ｔｒａｃｋｉｎｇ  ｒｅｆｅｒｅｎｃｅ  ｓｉｇｎａｌ：ＴＲＳ）、又は同期信号／物理ブロードキャストチャネルブロック（ＳＳ／ＰＢＣＨ  ｂｌｏｃｋ）であるが、他の参照信号であってもよい。このように、参照信号ビーム指示の優先度が受信信号の優先度よりも高くなるように設定することで、参照信号の正しい復調を確保することができる。
【０１２８】
本実施例では、参照信号の時間領域の伝送特性に基づいて優先度を定義してもよい。例えば、非周期的なＣＳＩ−ＲＳの送信構成指示状態の優先度が第１送信構成指示状態よりも高くなるように設定し、周期的なＣＳＩ−ＲＳの送信構成指示状態の優先度が第１送信構成指示状態よりも低くなるように設定してもよい。
【０１２９】
本実施例では、あるスロットについて、サーチスペースセット（例えばｃｏｍｍｏｎサーチスペースセット又はＵＥ−ｓｐｅｃｉｆｉｃサーチスペースセット）のタイプが１つしかない場合、同一のＯＦＤＭシンボルについてＴＣＩ状態指示が存在、且つデフォルトのＴＣＩ状態が存在するとき（例えば前者は直前のスロットのスロット跨りのスケジューリングによるものであり、後者は現在のスロットの同一スロットのスケジューリングによるものである）、端末装置は、指示されたＴＣＩ状態がデフォルトのＴＣＩ状態よりも高い優先度を有するように設定し、即ち、端末装置は、該ＯＦＤＭシンボル上のＴＣＩ状態がＤＣＩで指示されたＴＣＩ状態であると仮定する。本実施例によれば、予め定義され、或いは予め構成された参照時間領域リソースセクションに基づいて信号受信のための時間領域リソースセクションの開始位置を決定することで、ネットワーク装置及び端末装置が受信ビームを決定するための時間領域リソースが統一されているため、ネットワーク装置と端末装置との送受信ビームの不整合を回避することができ、システムの伝送信頼性を確保することができる。また、元のＴＣＩ状態を用いるという仮定に基づいてネットワーク装置から送信された信号を受信することを回避することができ、エネルギー損失を回避することができる。
【０１３０】
＜実施例３＞
本発明の実施例は信号受信装置をさらに提供し、該装置は実施例１の信号受信方法に対応する。その具体的な実施は実施例１の信号受信方法の実施を参考してもよく、同様な内容について説明を省略する。
【０１３１】
図１６は本発明の実施例３の信号受信装置の概略図である。図１６に示すように、信号受信装置１６００は、第１受信部１６０１及び第２受信部１６０２を含む。
【０１３２】
第１受信部１６０１は、ネットワーク装置が第１送信構成指示（ＴＣＩ）状態を用いるという仮定に基づいて、第１時間領域リソースセクションにおいて、第１制御情報を含む第１信号を受信する。
【０１３３】
第２受信部１６０２は、該ネットワーク装置が第２送信構成指示状態を用いるという仮定に基づいて、第２時間領域リソースセクションにおいて第２信号を受信する。
【０１３４】
該第２時間領域リソースセクションの開始位置は、参照時間領域リソースセクションに基づいて決定され、該参照時間領域リソースセクションは、該第１制御情報に関連し、該参照時間領域リソースセクションは、予め定義され、或いは予め構成される。
【０１３５】
本実施例では、例えば、信号受信装置１６００は第３受信部１６０３をさらに含んでもよい。
【０１３６】
第３受信部１６０３は、該ネットワーク装置が第３送信構成指示状態を用いるという仮定に基づいて、第３時間領域リソースセクションにおいて第３信号を受信する。
【０１３７】
該第３時間領域リソースセクションの開始位置は、該参照時間領域リソースセクション及び閾値に基づいて決定され、或いは、該第３時間領域リソースセクションの開始位置は、該参照時間領域リソースセクションに基づいて決定され、該閾値は、予め定義され、或いは予め構成される。
【０１３８】
本実施例では、例えば、信号受信装置１６００は検出部１６０４をさらに含んでもよい。
【０１３９】
検出部１６０４は、構成された制御リソースセット（ＣＯＲＥＳＥＴ）において該第１制御情報を検出する。該構成された制御リソースセットは、少なくとも１つの制御リソースセットを含む。
【０１４０】
本実施例では、第３受信部１６０３及び検出部１６０４はオプションの構成部である。
【０１４１】
本実施例では、参照時間領域リソースセクション、第２時間領域リソースセクションの開始位置、及び第３時間領域リソースセクションの開始位置の決定方法は、実施例１における記載と同様であり、ここでその説明を省略する。
【０１４２】
本発明の実施例によれば、予め定義され、或いは予め構成された参照時間領域リソースセクションに基づいて信号受信のための時間領域リソースセクションの開始位置を決定することで、ネットワーク装置及び端末装置が受信ビームを決定するための時間領域リソースが統一されているため、ネットワーク装置と端末装置との送受信ビームの不整合を回避することができ、システムの伝送信頼性を確保することができる。また、元のＴＣＩ状態を用いるという仮定に基づいてネットワーク装置から送信された信号を受信することを回避することができ、エネルギー損失を回避することができる。
【０１４３】
＜実施例４＞
本発明の実施例は信号受信装置をさらに提供し、該装置は実施例２の信号受信方法に対応する。その具体的な実施は実施例２の信号受信方法の実施を参考してもよく、同様な内容について説明を省略する。
【０１４４】
図１７は本発明の実施例４の信号受信装置の概略図である。図１７に示すように、信号受信装置１７００は、第１設定部１７０１を含む。
【０１４５】
第１設定部１７０１は、受信信号の時間領域リソース単位と参照時間領域リソースセクションとの時間間隔が閾値よりも大きい場合、該時間領域リソース単位が該受信信号の伝送のために用いられることが、受信された制御情報により指示されていないとき、該時間領域リソース単位の送信構成指示（ＴＣＩ）状態指示を、該受信信号に対応するビーム情報がないことに設定する。
【０１４６】
ここで、該参照時間領域リソースセクションは、該制御情報に関連し、該参照時間領域リソースセクションは、予め定義され、或いは予め構成される。
【０１４７】
本実施例では、例えば、信号受信装置１７００は、第２設定部１７０２をさらに含んでもよい。
【０１４８】
第２設定部１７０２は、該受信信号と参照信号とが同一の時間領域リソース単位において伝送される場合、該受信信号のために構成された第１送信構成指示状態指示と該参照信号のために構成された第２送信構成指示状態指示とが異なるとき、該第２送信構成指示状態指示が該第１送信構成指示状態指示よりも高い優先度を有するように設定する。
【０１４９】
本実施例では、該参照信号は、例えばチャネル状態情報参照信号（ＣＳＩ−ＲＳ）若しくはトラッキング参照信号（ｔｒａｃｋｉｎｇ  ｒｅｆｅｒｅｎｃｅ  ｓｉｇｎａｌ：ＴＲＳ）、又は同期信号／物理ブロードキャストチャネルブロック（ＳＳ／ＰＢＣＨ  ｂｌｏｃｋ）であるが、他の参照信号であってもよい。このように、参照信号ビーム指示の優先度が受信信号の優先度よりも高くなるように設定することで、参照信号の正しい復調を確保することができる。
【０１５０】
本発明の実施例によれば、予め定義され、或いは予め構成された参照時間領域リソースセクションに基づいて信号受信のための時間領域リソースセクションの開始位置を決定することで、ネットワーク装置及び端末装置が受信ビームを決定するための時間領域リソースが統一されているため、ネットワーク装置と端末装置との送受信ビームの不整合を回避することができ、システムの伝送信頼性を確保することができる。また、元のＴＣＩ状態を用いるという仮定に基づいてネットワーク装置から送信された信号を受信することを回避することができ、エネルギー損失を回避することができる。
【０１５１】
＜実施例５＞
本発明の実施例は端末装置をさらに提供し、該端末装置は実施例３又は実施例４の信号受信装置を含む。
【０１５２】
図１８は本発明の実施例５の端末装置のシステム構成の概略ブロック図である。図１８に示すように、端末装置１８００は、プロセッサ１８１０及びメモリ１８２０を含んでもよく、メモリ１８２０はプロセッサ１８１０に接続される。なお、該図は単なる例示的なものであり、電気通信機能又は他の機能を実現するように、他の種類の構成を用いて、該構成を補充又は代替してもよい。
【０１５３】
１つの態様では、信号受信装置の機能はプロセッサ１８１０に統合されてもよい。
【０１５４】
ここで、プロセッサ１８１０は、ネットワーク装置が第１送信構成指示（ＴＣＩ）状態を用いるという仮定に基づいて第１時間領域リソースセクションにおいて第１制御情報を含む第１信号を受信し、該ネットワーク装置が第２送信構成指示状態を用いるという仮定に基づいて第２時間領域リソースセクションにおいて第２信号を受信するように構成されてもよい。該第２時間領域リソースセクションの開始位置は、参照時間領域リソースセクションに基づいて決定され、該参照時間領域リソースセクションは、該第１制御情報に関連し、該参照時間領域リソースセクションは、予め定義され、或いは予め構成される。
【０１５５】
例えば、プロセッサ１８１０は、該ネットワーク装置が第３送信構成指示状態を用いるという仮定に基づいて第３時間領域リソースセクションにおいて第３信号を受信するようにさらに構成されてもよい。該第３時間領域リソースセクションの開始位置は、該参照時間領域リソースセクション及び閾値に基づいて決定され、或いは、該第３時間領域リソースセクションの開始位置は、該参照時間領域リソースセクションに基づいて決定され、該閾値は、予め定義され、或いは予め構成される。
【０１５６】
例えば、プロセッサ１８１０は、構成された制御リソースセット（ＣＯＲＥＳＥＴ）において該第１制御情報を検出するようにさらに構成されてもよい。該構成された制御リソースセットは、少なくとも１つの制御リソースセットを含む。
【０１５７】
例えば、該参照時間領域リソースセクションは、該構成された制御リソースセットにおける時間軸上の最後の位置にある時間領域リソース単位であり、或いは時間軸上の前記構成された制御リソースセットの直後の時間領域リソース単位である。
【０１５８】
例えば、該参照時間領域リソースセクションは、該構成された制御リソースセットにおけるサーチスペースセットの所在するリソースの時間軸上の最後の位置にある時間領域リソース単位であり、或いは時間軸上の前記構成された制御リソースセットにおけるサーチスペースセットの所在するリソースの直後の時間領域リソース単位である。
【０１５９】
例えば、該参照時間領域リソースセクションは、該第１制御情報の所在する制御リソースセットにおける時間軸上の最後の位置にある時間領域リソースセクションであり、或いは時間軸上の該第１制御情報の所在する制御リソースセットの直後の時間領域リソースセクションである。
【０１６０】
例えば、該参照時間領域リソースセクションは、該第１制御情報の所在する制御リソースセットにおけるサーチスペースセットの所在するリソースの時間軸上の最後の位置にある時間領域リソース単位であり、或いは時間軸上の該第１制御情報の所在する制御リソースセットにおけるサーチスペースセットの所在するリソースの直後の時間領域リソース単位である。
【０１６１】
例えば、該参照時間領域リソースセクションは、該第１制御情報の所在するスケジューリング単位における１番目、２番目又は３番目の時間領域シンボルであり、該スケジューリング単位は、１つのスロット又は少なくとも１つのシンボルを含む。
【０１６２】
例えば、該第２信号は、第１データチャネルであり、該第１制御情報は、端末装置が該第１データチャネルを受信するように指示するために用いられ、該第３信号は、第２データチャネルであり、該第１制御情報は、該端末装置が該第２データチャネルを受信するように指示するために用いられ、該第１データチャネルと該第２データチャネルとは同一であり、或いは異なる。
【０１６３】
例えば、該第２信号は、第２制御情報を含み、該第１制御情報は、該第２制御情報の伝送パラメータを指示するために用いられ、該伝送パラメータは、チャネル符号化、符号化レート、変調方式、時間周波数リソース位置及び送信構成指示状態のうちの少なくとも１つのパラメータを含む。
【０１６４】
例えば、該第２時間領域リソースセクションは、該参照時間領域リソースセクションから始まり、或いは、該第２時間領域リソースセクションは、該参照時間領域リソースセクションの直後の時間領域リソース単位から始まり、或いは、該第２時間領域リソースセクションは、該参照時間領域リソースセクションの後のＮ番目の時間領域リソース単位から始まり、Ｎは該第１制御情報により指示され、Ｎは自然数である。
【０１６５】
例えば、該第３時間領域リソースセクションは、該参照時間領域リソースセクションの後のＭ番目の時間領域リソース単位から始まり、Ｍは該閾値に等しく、Ｍは自然数であり、或いは、該第３時間領域リソースセクションは、該参照時間領域リソースセクションの後のＳ番目の時間領域リソース単位から始まり、Ｓは該第１制御情報により指示され、Ｓは自然数である。
【０１６６】
例えば、該第１送信構成指示状態と該第２送信構成指示状態とは同一であり、或いは異なる。
【０１６７】
例えば、該第２送信構成指示状態と該第３送信構成指示状態とは同一であり、或いは異なる。
【０１６８】
例えば、該第１送信構成指示状態は、少なくとも１つの送信構成指示状態を含み、該第２送信構成指示状態は、少なくとも１つの送信構成指示状態を含み、該第３送信構成指示状態は、少なくとも１つの送信構成指示状態を含む。
【０１６９】
例えば、該第１時間領域リソースセクションは、少なくとも１つの時間領域リソース単位を含み、該第２時間領域リソースセクションは、少なくとも１つの時間領域リソース単位を含み、該第３時間領域リソースセクションは、少なくとも１つの時間領域リソース単位を含み、該時間領域リソース単位は、時間領域シンボル、スロット又はサブフレームである。
【０１７０】
例えば、プロセッサ１８１０は、受信信号の時間領域リソース単位と参照時間領域リソースセクションとの時間間隔が閾値よりも大きい場合、該時間領域リソース単位が該受信信号の伝送のために用いられることが、受信された制御情報により指示されていないとき、該時間領域リソース単位の送信構成指示（ＴＣＩ）状態指示を、該受信信号に対応するビーム情報がないことに設定するように構成されてもよい。該参照時間領域リソースセクションは、該制御情報に関連し、該参照時間領域リソースセクションは、予め定義され、或いは予め構成される。
【０１７１】
例えば、プロセッサ１８１０は、該受信信号と参照信号とが同一の時間領域リソース単位において伝送される場合、該受信信号のために構成された第１送信構成指示状態指示と該参照信号のために構成された第２送信構成指示状態指示とが異なるとき、該第２送信構成指示状態指示が該第１送信構成指示状態指示よりも高い優先度を有するように設定するようにさらに構成されてもよい。
【０１７２】
もう１つの態様では、信号受信装置はプロセッサ１８１０とそれぞれ配置されてもよく、例えば信号受信装置はプロセッサ１８１０に接続されたチップであり、プロセッサ１８１０の制御により信号受信装置の機能を実現してもよい。
【０１７３】
また、図１８に示すように、端末装置１８００は、通信モジュール１８３０、入力部１８４０、ディスプレイ１８５０、電源１８６０をさらに含んでもよい。なお、端末装置１８００は図１８に示す全てのユニットを含む必要がない。また、端末装置１８００は、図１８に示されていないユニットをさらに含んでもよく、従来技術を参照してもよい。
【０１７４】
図１８に示すように、プロセッサ１８１０は、コントローラ又は操作制御部とも称され、マイクロプロセッサ又は他の処理装置及び／又は論理装置を含んでもよく、プロセッサ１８１０は入力を受け付け、端末装置１８００の各部の操作を制御する。
【０１７５】
ここで、メモリ１８２０は、例えばバッファ、フラッシュメモリ、ハードディスク、移動可能な媒体、発揮性メモリ、不発揮性メモリ、又は他の適切な装置の１つ又は複数であってもよく、各種のデータ及び関連情報を実行するためのプログラムを記憶している。また、プロセッサ１８１０は、メモリ１８２０に記憶されたプログラムを実行し、情報の記憶又は処理などを実現してもよい。他の部材は従来技術に類似するため、ここでその説明が省略される。端末装置１８００の各部は、本発明の範囲から逸脱することなく、特定のハードウェア、ファームウェア、ソフトウェア又はその組み合わせによって実現されてもよい。
【０１７６】
本発明の実施例によれば、予め定義され、或いは予め構成された参照時間領域リソースセクションに基づいて信号受信のための時間領域リソースセクションの開始位置を決定することで、ネットワーク装置及び端末装置が受信ビームを決定するための時間領域リソースが統一されているため、ネットワーク装置と端末装置との送受信ビームの不整合を回避することができ、システムの伝送信頼性を確保することができる。また、元のＴＣＩ状態を用いるという仮定に基づいてネットワーク装置から送信された信号を受信することを回避することができ、エネルギー損失を回避することができる。
【０１７７】
＜実施例６＞
本発明の実施例は、ネットワーク装置及び実施例５の端末装置を含む通信システムをさらに提供する。例えば、該通信システムの構成は図１を参照してもよい。図１に示すように、通信システム１００は、ネットワーク装置１０１及び端末装置１０２を含み、端末装置の構成及び機能は実施例５の記載と同様であり、ここでその説明を省略する。
【０１７８】
本発明の実施例によれば、予め定義され、或いは予め構成された参照時間領域リソースセクションに基づいて信号受信のための時間領域リソースセクションの開始位置を決定することで、ネットワーク装置及び端末装置が受信ビームを決定するための時間領域リソースが統一されているため、ネットワーク装置と端末装置との送受信ビームの不整合を回避することができ、システムの伝送信頼性を確保することができる。また、元のＴＣＩ状態を用いるという仮定に基づいてネットワーク装置から送信された信号を受信することを回避することができ、エネルギー損失を回避することができる。
【０１７９】
本発明の以上の装置及び方法は、ハードウェアにより実現されてもよく、ハードウェアとソフトウェアを結合して実現されてもよい。本発明はコンピュータが読み取り可能なプログラムに関し、該プログラムはロジック部により実行される際に、該ロジック部に上述した装置又は構成要件を実現させる、或いは該ロジック部に上述した各種の方法又はステップを実現させることができる。本発明は上記のプログラムを記憶するための記憶媒体、例えばハードディスク、磁気ディスク、光ディスク、ＤＶＤ、フラッシュメモリ等に関する。
【０１８０】
本発明の実施例を参照しながら説明した各装置における各処理方法は、ハードウェア、プロセッサにより実行されるソフトウェアモジュール、又は両者の組み合わせで実施されてもよい。例えば、図１６及び図１７に示す機能的ブロック図における１つ若しくは複数、又は機能的ブロック図の１つ若しくは複数の組み合わせは、コンピュータプログラムフローの各ソフトウェアモジュールに対応してもよいし、各ハードウェアモジュールに対応してもよい。これらのソフトウェアモジュールは、図２及び図１５に示す各ステップにそれぞれ対応してもよい。これらのハードウェアモジュールは、例えばフィールド・プログラマブル・ゲートアレイ（ＦＰＧＡ）を用いてこれらのソフトウェアモジュールをハードウェア化して実現されてもよい。
【０１８１】
ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、モバイルハードディスク、ＣＤ−ＲＯＭ又は当業者にとって既知の任意の他の形の記憶媒体に位置してもよい。プロセッサが記憶媒体から情報を読み取ったり、記憶媒体に情報を書き込むように該記憶媒体をプロセッサに接続してもよいし、記憶媒体がプロセッサの構成部であってもよい。プロセッサ及び記憶媒体はＡＳＩＣに位置してもよい。該ソフトウェアモジュールは移動端末のメモリに記憶されてもよいし、移動端末に挿入されたメモリカードに記憶されてもよい。例えば、機器（例えば移動端末）が比較的に大きい容量のＭＥＧＡ−ＳＩＭカード又は大容量のフラッシュメモリ装置を用いる場合、該ソフトウェアモジュールは該ＭＥＧＡ−ＳＩＭカード又は大容量のフラッシュメモリ装置に記憶されてもよい。
【０１８２】
図面に記載されている機能的ブロック図における一つ以上の機能ブロックおよび／または機能ブロックの一つ以上の組合せは、本願に記載されている機能を実行するための汎用プロセッサ、デジタル信号プロセッサ（ＤＳＰ）、特定用途向け集積回路（ＡＳＩＣ）、フィールド・プログラマブル・ゲートアレイ（ＦＰＧＡ）又は他のプログラマブル論理デバイス、ディスクリートゲートまたはトランジスタ論理装置、ディスクリートハードウェアコンポーネント、またはそれらの任意の適切な組み合わせで実現されてもよい。図面に記載されている機能的ブロック図における一つ以上の機能ブロックおよび／または機能ブロックの一つ以上の組合せは、例えば、コンピューティング機器の組み合わせ、例えばＤＳＰとマイクロプロセッサの組み合わせ、複数のマイクロプロセッサの組み合わせ、ＤＳＰ通信と組み合わせた１つ又は複数のマイクロプロセッサ又は他の任意の構成で実現されてもよい。
【０１８３】
以上、具体的な実施形態を参照しながら本発明を説明しているが、上記の説明は、例示的なものに過ぎず、本発明の保護の範囲を限定するものではない。本発明の趣旨及び原理を離脱しない限り、本発明に対して各種の変形及び変更を行ってもよく、これらの変形及び変更も本発明の範囲内のものである。
【０１８４】
また、上述の実施例を含む実施形態に関し、更に以下の付記を開示する。
（付記１）
信号受信装置であって、
ネットワーク装置が第１送信構成指示（ＴＣＩ）状態を用いるという仮定に基づいて第１時間領域リソースセクションにおいて第１制御情報を含む第１信号を受信する第１受信部と、
前記ネットワーク装置が第２送信構成指示状態を用いるという仮定に基づいて第２時間領域リソースセクションにおいて第２信号を受信する第２受信部と、を含み、
前記第２時間領域リソースセクションの開始位置は、参照時間領域リソースセクションに基づいて決定され、前記参照時間領域リソースセクションは、前記第１制御情報に関連し、前記参照時間領域リソースセクションは、予め定義され、或いは予め構成される、装置。
（付記２）
前記ネットワーク装置が第３送信構成指示状態を用いるという仮定に基づいて第３時間領域リソースセクションにおいて第３信号を受信する第３受信部、をさらに含み、
前記第３時間領域リソースセクションの開始位置は、前記参照時間領域リソースセクション及び閾値に基づいて決定され、或いは、前記第３時間領域リソースセクションの開始位置は、前記参照時間領域リソースセクションに基づいて決定され、前記閾値は、予め定義され、或いは予め構成される、付記１に記載の装置。
（付記３）
構成された制御リソースセット（ＣＯＲＥＳＥＴ）において前記第１制御情報を検出する検出部、をさらに含み、
前記構成された制御リソースセットは、少なくとも１つの制御リソースセットを含む、付記１に記載の装置。
（付記４）
前記参照時間領域リソースセクションは、前記構成された制御リソースセットにおける時間軸上の最後の位置にある時間領域リソース単位であり、或いは時間軸上の前記構成された制御リソースセットの直後の時間領域リソース単位である、付記３に記載の装置。
（付記５）
前記参照時間領域リソースセクションは、前記構成された制御リソースセットにおけるサーチスペースセットの所在するリソースの時間軸上の最後の位置にある時間領域リソース単位であり、或いは時間軸上の前記構成された制御リソースセットにおけるサーチスペースセットの所在するリソースの直後の時間領域リソース単位である、付記３に記載の装置。
（付記６）
前記参照時間領域リソースセクションは、前記第１制御情報の所在する制御リソースセットにおける時間軸上の最後の位置にある時間領域リソースセクションであり、或いは時間軸上の前記第１制御情報の所在する制御リソースセットの直後の時間領域リソースセクションである、付記１に記載の装置。
（付記７）
前記参照時間領域リソースセクションは、前記第１制御情報の所在する制御リソースセットにおけるサーチスペースセットの所在するリソースの時間軸上の最後の位置にある時間領域リソース単位であり、或いは時間軸上の前記第１制御情報の所在する制御リソースセットにおけるサーチスペースセットの所在するリソースの直後の時間領域リソース単位である、付記１に記載の装置。
（付記８）
前記参照時間領域リソースセクションは、前記第１制御情報の所在するスケジューリング単位における１番目、２番目又は３番目の時間領域シンボルであり、前記スケジューリング単位は、１つのスロット又は少なくとも１つのシンボルを含む、付記１に記載の装置。
（付記９）
前記第２信号は、第１データチャネルであり、前記第１制御情報は、端末装置が前記第１データチャネルを受信するように指示するために用いられ、
前記第３信号は、第２データチャネルであり、前記第１制御情報は、前記端末装置が前記第２データチャネルを受信するように指示するために用いられ、
前記第１データチャネルと前記第２データチャネルとは同一であり、或いは異なる、付記２に記載の装置。
（付記１０）
前記第２信号は、第２制御情報を含み、前記第１制御情報は、前記第２制御情報の伝送パラメータを指示するために用いられ、前記伝送パラメータは、チャネル符号化、符号化レート、変調方式、時間周波数リソース位置及び送信構成指示状態のうちの少なくとも１つのパラメータを含む、付記１に記載の装置。
（付記１１）
前記第２時間領域リソースセクションは、前記参照時間領域リソースセクションから始まり、或いは、
前記第２時間領域リソースセクションは、前記参照時間領域リソースセクションの直後の時間領域リソース単位から始まり、或いは、
前記第２時間領域リソースセクションは、前記参照時間領域リソースセクションの後のＮ番目の時間領域リソース単位から始まり、Ｎは前記第１制御情報により指示され、Ｎは自然数である、付記１に記載の装置。
（付記１２）
前記第３時間領域リソースセクションは、前記参照時間領域リソースセクションの後のＭ番目の時間領域リソース単位から始まり、Ｍは前記閾値に等しく、Ｍは自然数であり、或いは、
前記第３時間領域リソースセクションは、前記参照時間領域リソースセクションの後のＳ番目の時間領域リソース単位から始まり、Ｓは前記第１制御情報により指示され、Ｓは自然数である、付記２に記載の装置。
（付記１３）
前記第１送信構成指示状態と前記第２送信構成指示状態とは同一であり、或いは異なる、付記１に記載の装置。
（付記１４）
前記第２送信構成指示状態と前記第３送信構成指示状態とは同一であり、或いは異なる、付記１３に記載の装置。
（付記１５）
前記第１送信構成指示状態は、少なくとも１つの送信構成指示状態を含み、前記第２送信構成指示状態は、少なくとも１つの送信構成指示状態を含み、前記第３送信構成指示状態は、少なくとも１つの送信構成指示状態を含む、付記１に記載の装置。
（付記１６）
前記第１時間領域リソースセクションは、少なくとも１つの時間領域リソース単位を含み、前記第２時間領域リソースセクションは、少なくとも１つの時間領域リソース単位を含み、前記第３時間領域リソースセクションは、少なくとも１つの時間領域リソース単位を含み、前記時間領域リソース単位は、時間領域シンボル、スロット又はサブフレームである、付記１に記載の装置。
（付記１７）
信号受信装置であって、
受信信号の時間領域リソース単位と参照時間領域リソースセクションとの時間間隔が閾値よりも大きい場合、前記時間領域リソース単位が前記受信信号の伝送のために用いられることが、受信された制御情報により指示されていないとき、前記時間領域リソース単位の送信構成指示（ＴＣＩ）状態指示を、前記受信信号に対応するビーム情報がないことに設定する第１設定部、を含み、
前記参照時間領域リソースセクションは、前記制御情報に関連し、前記参照時間領域リソースセクションは、予め定義され、或いは予め構成される、装置。
（付記１８）
前記受信信号と参照信号とが同一の時間領域リソース単位において伝送される場合、前記受信信号のために構成された第１送信構成指示状態指示と前記参照信号のために構成された第２送信構成指示状態指示とが異なるとき、前記第２送信構成指示状態指示が前記第１送信構成指示状態指示よりも高い優先度を有するように設定する第２設定部、をさらに含む、付記１７に記載の装置。
（付記１９）
請求項１乃至１８の何れかに記載の装置を含む、端末装置。
（付記２０）
付記１９に記載の端末装置を含む、通信システム。
（付記２１）
信号受信方法であって、
ネットワーク装置が第１送信構成指示（ＴＣＩ）状態を用いるという仮定に基づいて第１時間領域リソースセクションにおいて第１制御情報を含む第１信号を受信するステップと、
前記ネットワーク装置が第２送信構成指示状態を用いるという仮定に基づいて第２時間領域リソースセクションにおいて第２信号を受信するステップと、を含み、
前記第２時間領域リソースセクションの開始位置は、参照時間領域リソースセクションに基づいて決定され、前記参照時間領域リソースセクションは、前記第１制御情報に関連し、前記参照時間領域リソースセクションは、予め定義され、或いは予め構成される、方法。
（付記２２）
前記ネットワーク装置が第３送信構成指示状態を用いるという仮定に基づいて第３時間領域リソースセクションにおいて第３信号を受信するステップ、をさらに含み、
前記第３時間領域リソースセクションの開始位置は、前記参照時間領域リソースセクション及び閾値に基づいて決定され、或いは、前記第３時間領域リソースセクションの開始位置は、前記参照時間領域リソースセクションに基づいて決定され、前記閾値は、予め定義され、或いは予め構成される、付記２１に記載の方法。
（付記２３）
構成された制御リソースセット（ＣＯＲＥＳＥＴ）において前記第１制御情報を検出するステップ、をさらに含み、
前記構成された制御リソースセットは、少なくとも１つの制御リソースセットを含む、付記２１に記載の方法。
（付記２４）
前記参照時間領域リソースセクションは、前記構成された制御リソースセットにおける時間軸上の最後の位置にある時間領域リソース単位であり、或いは時間軸上の前記構成された制御リソースセットの直後の時間領域リソース単位である、付記２３に記載の方法。
（付記２５）
前記参照時間領域リソースセクションは、前記構成された制御リソースセットにおけるサーチスペースセットの所在するリソースの時間軸上の最後の位置にある時間領域リソース単位であり、或いは時間軸上の前記構成された制御リソースセットにおけるサーチスペースセットの所在するリソースの直後の時間領域リソース単位である、付記２３に記載の方法。
（付記２６）
前記参照時間領域リソースセクションは、前記第１制御情報の所在する制御リソースセットにおける時間軸上の最後の位置にある時間領域リソースセクションであり、或いは時間軸上の前記第１制御情報の所在する制御リソースセットの直後の時間領域リソースセクションである、付記２１に記載の方法。
（付記２７）
前記参照時間領域リソースセクションは、前記第１制御情報の所在する制御リソースセットにおけるサーチスペースセットの所在するリソースの時間軸上の最後の位置にある時間領域リソース単位であり、或いは時間軸上の前記第１制御情報の所在する制御リソースセットにおけるサーチスペースセットの所在するリソースの直後の時間領域リソース単位である、付記２１に記載の方法。
（付記２８）
前記参照時間領域リソースセクションは、前記第１制御情報の所在するスケジューリング単位における１番目、２番目又は３番目の時間領域シンボルであり、前記スケジューリング単位は、１つのスロット又は少なくとも１つのシンボルを含む、付記２１に記載の方法。
（付記２９）
前記第２信号は、第１データチャネルであり、前記第１制御情報は、端末装置が前記第１データチャネルを受信するように指示するために用いられ、
前記第３信号は、第２データチャネルであり、前記第１制御情報は、前記端末装置が前記第２データチャネルを受信するように指示するために用いられ、
前記第１データチャネルと前記第２データチャネルとは同一であり、或いは異なる、付記２２に記載の方法。
（付記３０）
前記第２信号は、第２制御情報を含み、前記第１制御情報は、前記第２制御情報の伝送パラメータを指示するために用いられ、前記伝送パラメータは、チャネル符号化、符号化レート、変調方式、時間周波数リソース位置及び送信構成指示状態のうちの少なくとも１つのパラメータを含む、付記２１に記載の方法。
（付記３１）
前記第２時間領域リソースセクションは、前記参照時間領域リソースセクションから始まり、或いは、
前記第２時間領域リソースセクションは、前記参照時間領域リソースセクションの直後の時間領域リソース単位から始まり、或いは、
前記第２時間領域リソースセクションは、前記参照時間領域リソースセクションの後のＮ番目の時間領域リソース単位から始まり、Ｎは前記第１制御情報により指示され、Ｎは自然数である、付記２１に記載の方法。
（付記３２）
前記第３時間領域リソースセクションは、前記参照時間領域リソースセクションの後のＭ番目の時間領域リソース単位から始まり、Ｍは前記閾値に等しく、Ｍは自然数であり、或いは、
前記第３時間領域リソースセクションは、前記参照時間領域リソースセクションの後のＳ番目の時間領域リソース単位から始まり、Ｓは前記第１制御情報により指示され、Ｓは自然数である、付記２２に記載の方法。
（付記３３）
前記第１送信構成指示状態と前記第２送信構成指示状態とは同一であり、或いは異なる、付記２１に記載の方法。
（付記３４）
前記第２送信構成指示状態と前記第３送信構成指示状態とは同一であり、或いは異なる、付記３３に記載の方法。
（付記３５）
前記第１送信構成指示状態は、少なくとも１つの送信構成指示状態を含み、前記第２送信構成指示状態は、少なくとも１つの送信構成指示状態を含み、前記第３送信構成指示状態は、少なくとも１つの送信構成指示状態を含む、付記２１に記載の方法。
（付記３６）
前記第１時間領域リソースセクションは、少なくとも１つの時間領域リソース単位を含み、前記第２時間領域リソースセクションは、少なくとも１つの時間領域リソース単位を含み、前記第３時間領域リソースセクションは、少なくとも１つの時間領域リソース単位を含み、前記時間領域リソース単位は、時間領域シンボル、スロット又はサブフレームである、付記２１に記載の方法。
（付記３７）
信号受信方法であって、
受信信号の時間領域リソース単位と参照時間領域リソースセクションとの時間間隔が閾値よりも大きい場合、前記時間領域リソース単位が前記受信信号の伝送のために用いられることが、受信された制御情報により指示されていないとき、前記時間領域リソース単位の送信構成指示（ＴＣＩ）状態指示を、前記受信信号に対応するビーム情報がないことに設定するステップ、を含み、
前記参照時間領域リソースセクションは、前記制御情報に関連し、前記参照時間領域リソースセクションは、予め定義され、或いは予め構成される、方法。
（付記３８）
前記受信信号と参照信号とが同一の時間領域リソース単位において伝送される場合、前記受信信号のために構成された第１送信構成指示状態指示と前記参照信号のために構成された第２送信構成指示状態指示とが異なるとき、前記第２送信構成指示状態指示が前記第１送信構成指示状態指示よりも高い優先度を有するように設定するステップ、をさらに含む、付記３７に記載の方法。
【図１】
0006989019.tif 000002
【図２】
0006989019.tif 000003
【図３】
0006989019.tif 000004
【図４】
0006989019.tif 000005
【図５】
0006989019.tif 000006
【図６】
0006989019.tif 000007
【図７】
0006989019.tif 000008
【図８】
0006989019.tif 000009
【図９】
0006989019.tif 000010
【図１０】
0006989019.tif 000011
【図１１】
0006989019.tif 000012
【図１２】
0006989019.tif 000013
【図１３】
0006989019.tif 000014
【図１４】
0006989019.tif 000015
【図１５】
0006989019.tif 000016
【図１６】
0006989019.tif 000017
【図１７】
0006989019.tif 000018
【図１８】
0006989019.tif 000019